(57)【要約】【課題】回収した粉塵を片手で容易に作業性良く廃棄することができる集塵ケースを提供すること。【解決手段】電動機と、該電動機を収納するハウジングと、前記電動機によって駆動される先端工具と、該先端工具の一部を覆うカバーを備えて成る電動工具の前記カバーに形成された粉塵排出口に着脱可能に装着される集塵ケース１において、集塵ケース本体１Ａにハンドル７を取り付け、該ハンドル７の近傍に、集塵ケース本体１Ａの粉塵取出口の開閉機構を設ける。ここで、前記開閉機構を、前記集塵ケース本体１Ａの粉塵取出口を開閉する開閉蓋６と、該開閉蓋６の固定をＯＮ／ＯＦＦする開閉スイッチ４とで構成し、前記開閉蓋６には、前記カバーに形成された粉塵排出口に結合される結合口３を形成する。【選択図】図２
2007044854.tif 000002
【特許請求の範囲】
【請求項１】
電動機と、該電動機を収納するハウジングと、前記電動機によって駆動される先端工具と、該先端工具の一部を覆うカバーを備えて成る電動工具の前記カバーに形成された粉塵排出口に着脱可能に装着される集塵ケースにおいて、
集塵ケース本体にハンドルを取り付け、該ハンドルの近傍に、集塵ケース本体の粉塵取出口の開閉機構を設けたことを特徴とする集塵ケース。
【請求項２】
前記集塵ケース本体の全部又は一部を透明又は半透明の部材で構成したことを特徴とする請求項１記載の集塵ケース。
【請求項３】
前記開閉機構を、前記集塵ケース本体の粉塵取出口を開閉する開閉蓋と、該開閉蓋の固定をＯＮ／ＯＦＦするスイッチ機構とで構成したことを特徴とする請求項１記載の集塵ケース。
【請求項４】
前記開閉蓋に、前記カバーに形成された粉塵排出口に結合される結合口を形成したことを特徴とする請求項１記載の集塵ケース。
【請求項５】
前記開閉蓋を前記集塵ケースに一端を中心として回動可能に取り付けるとともに、該開閉蓋を開き方向に付勢する付勢手段を設けたことを特徴とする請求項３又は４記載の集塵ケース。
【請求項６】
前記スイッチ機構を、開閉蓋に係脱する係止部材と、該係止部材を係止方向に付勢する付勢手段を含んで構成したことを特徴とする請求項３記載の集塵ケース。
【請求項７】
前記集塵ケース本体を、略筒状のベース部と、該ベース部に取り付けられた柔軟な袋状のフィルタ部とで構成したことを特徴とする請求項１〜６の何れかに記載の集塵ケース。
【請求項８】
前記集塵ケースのフィルタ部内に、該フィルタ部を所定の形状に保持するための形状保持部材を設けたことを特徴とする請求項７記載の集塵ケース。
【請求項９】
前記形状保持部材を前記集塵ケースのベース部に取り付けたことを特徴とする請求項８記載の集塵ケース。
【請求項１０】
前記形状保持部材を針金で構成するとともに、この針金を前記ベース部の開口部周縁に取り付けるとともに、その一部を前記ハンドルで固定したことを特徴とする請求項８又は９記載の集塵ケース。
【請求項１１】
電動機と、該電動機を収納するハウジングと、前記電動機によって駆動される先端工具と、該先端工具の一部を覆うカバーを備え、該カバーに形成された粉塵排出口に集塵ケースを着脱可能に装着して成る電動工具において、
前記集塵ケースの本体にハンドルを取り付け、該ハンドルの近傍に、集塵ケース本体の粉塵取出口の開閉機構を設けたことを特徴とする電動工具。
【請求項１２】
前記集塵ケース本体の全部又は一部を透明又は半透明の部材で構成したことを特徴とする請求項１１記載の電動工具。
【請求項１３】
前記開閉機構を、前記集塵ケース本体の粉塵取出口を開閉する開閉蓋と、該開閉蓋の固定をＯＮ／ＯＦＦするスイッチ機構とで構成したことを特徴とする請求項１１記載の電動工具。
【請求項１４】
前記開閉蓋に、前記カバーに形成された粉塵排出口に結合される結合口を形成したことを特徴とする請求項１１記載の電動工具。
【請求項１５】
前記開閉蓋を前記集塵ケースに一端を中心として回動可能に取り付けるとともに、該開閉蓋を開き方向に付勢する付勢手段を設けたことを特徴とする請求項１３又は１４記載の電動工具。
【請求項１６】
前記スイッチ機構を、開閉蓋に係脱する係止部材と、該係止部材を係止方向に付勢する付勢手段を含んで構成したことを特徴とする請求項１３記載の電動工具。
【請求項１７】
前記集塵ケース本体を、略筒状のベース部と、該ベース部に取り付けられた柔軟な袋状のフィルタ部とで構成したことを特徴とする請求項１１〜１６の何れかに記載の電動工具。
【請求項１８】
前記集塵ケースのフィルタ部内に、該フィルタ部を所定の形状に保持するための形状保持部材を設けたことを特徴とする請求項１７記載の電動工具。
【請求項１９】
前記形状保持部材を前記集塵ケースのベース部に取り付けたことを特徴とする請求項１８記載の電動工具。
【請求項２０】
前記形状保持部材を針金で構成するとともに、この針金を前記ベース部の開口部周縁に取り付けるとともに、その一部を前記ハンドルで固定したことを特徴とする請求項１８又は１９記載の電動工具。
【発明の詳細な説明】
【技術分野】
【０００１】
本発明は、粉塵を回収するための集塵ケースとこれを備えた電動工具に関するものである。
【背景技術】
【０００２】
例えば、木材等を切断する電動丸鋸には、切断によって発生する切粉を回収して蓄積する集塵ケースを備えたものがある。その一例を図８に示す（特許文献１参照）。
【０００３】
図８は従来の集塵ケースを備える電動丸鋸の側面図であり、図示の電動丸鋸１１０は、不図示の電動機を内蔵したハウジング１１３と、電動機によって回転駆動される鋸刃１１４と、ハウジング１１３に連結されて切断作業時に被切断材１１６上を摺動するベース１１５を含んで構成されている。そして、この電動丸鋸１１０には、集塵ケース１０１が着脱可能に装着されている。
【０００４】
上記集塵ケース１０１は、被切断材１１６の切断によって発生する切粉を回収するためのものであって、筒状の結合部１０３と取付部１０６及びボックス部１０５を備え、ボックス部１０５には複数の切欠き窓１０５ａが形成され、該ボックス部１０５の内部には袋１３０が収納されている。ここで、袋１３０としては、空気だけが通過できる程度の目粗さを有する和紙製の紙袋や合成繊維製フィルター袋等が使用されている。
【０００５】
以上の構成を有する集塵ケース１０１は、その結合部１０３を電動丸鋸１１０のハウジング１１３に形成された筒状の粉塵排出口１１２に差し込むことによって電動丸鋸１１０に装着される。
【０００６】
而して、図８に示すように、電動丸鋸１１０による被切断材１１６の切断に際して不図示の電動機によって鋸刃１１４が回転駆動されると、被切断材１１６が鋸刃１１４によって切断され、この切断によって発生する切粉は、鋸刃１１４の回転による慣性力と空気流によってハウジング１１３の粉塵排出口１１２へと排出され、粉塵排出口１１２に装着された集塵ケース１０１の結合部１０３からボックス部１０５内の袋１３０へと空気と共に導入される。
【０００７】
上述のように切粉が空気と共に集塵ケース１０１の袋１３０内へ導入されると、空気は、袋１３０を通過した後、ボックス部１０５に形成された複数の切欠き窓１０５ａを通って大気中に放出されるため、袋１３０内には切粉が蓄積される。そして、集塵ケース１０１の袋１３０内が切粉で満杯になると、ボックス部１０５を取付部１０６から取り外し、該ボックス部１０５内から袋１３０を取り外してそのまま廃棄すれば、回収した切粉を周囲に撒き散らすことなく袋１３０と共に廃棄することができる。
【特許文献１】特開２００５−０２２３３８号公報
【発明の開示】
【発明が解決しようとする課題】
【０００８】
ところが、図８に示した従来の集塵ケース１０１によれば、切粉で満杯になった袋１３０を廃棄する場合、先ず、集塵ケース１０１と電動丸鋸１１０を両手で掴んで両者を切り離し、電動丸鋸１１０から切り離された集塵ケース１０１のボックス部１０５を両手で掴んで取付部１０６から取り外す必要があるため、その作業が作業者にとって煩雑なものとなっていた。
【０００９】
又、切粉で満杯となった袋１３０を廃棄するためにこれを片手で保持する場合には、集塵ケース１０１の結合部１０３と取付部１０６を他の場所に一時的に置いておく必要がある。
【００１０】
本発明は上記問題に鑑みてなされたもので、その目的とする処は、回収した粉塵を片手で容易に作業性良く廃棄することができる集塵ケース及びこれを備えた電動工具を提供することにある。
【課題を解決するための手段】
【００１１】
上記目的を達成するため、請求項１記載の発明は、電動機と、該電動機を収納するハウジングと、前記電動機によって駆動される先端工具と、該先端工具の一部を覆うカバーを備えて成る電動工具の前記カバーに形成された粉塵排出口に着脱可能に装着される集塵ケースにおいて、集塵ケース本体にハンドルを取り付け、該ハンドルの近傍に、集塵ケース本体の粉塵取出口の開閉機構を設けたことを特徴とする。
【００１２】
請求項２記載の発明は、請求項１記載の発明において、前記集塵ケース本体の全部又は一部を透明又は半透明の部材で構成したことを特徴とする。
【００１３】
請求項３記載の発明は、請求項１記載の発明において、前記開閉機構を、前記集塵ケース本体の粉塵取出口を開閉する開閉蓋と、該開閉蓋の固定をＯＮ／ＯＦＦするスイッチ機構とで構成したことを特徴とする。
【００１４】
請求項４記載の発明は、請求項１記載の発明において、前記開閉蓋に、前記カバーに形成された粉塵排出口に結合される結合口を形成したことを特徴とする。
【００１５】
請求項５記載の発明は、請求項３又は４記載の発明において、前記開閉蓋を前記集塵ケースに一端を中心として回動可能に取り付けるとともに、該開閉蓋を開き方向に付勢する付勢手段を設けたことを特徴とする。
【００１６】
請求項６記載の発明は、請求項３記載の発明において、前記スイッチ機構を、開閉蓋に係脱する係止部材と、該係止部材を係止方向に付勢する付勢手段を含んで構成したことを特徴とする。
【００１７】
請求項７記載の発明は、請求項１〜６の何れかに記載の発明において、前記集塵ケース本体を、略筒状のベース部と、該ベース部に取り付けられた柔軟な袋状のフィルタ部とで構成したことを特徴とする。
【００１８】
請求項８記載の発明は、請求項７記載の発明において、前記集塵ケースのフィルタ部内に、該フィルタ部を所定の形状に保持するための形状保持部材を設けたことを特徴とする。
【００１９】
請求項９記載の発明は、請求項８記載の発明において、前記形状保持部材を前記集塵ケースのベース部に取り付けたことを特徴とする。
【００２０】
請求項１０記載の発明は、請求項８又は９記載の発明において、前記形状保持部材を針金で構成するとともに、この針金を前記ベース部の開口部周縁に取り付けるとともに、その一部を前記ハンドルで固定したことを特徴とする。
【００２１】
請求項１１記載の発明は、電動機と、該電動機を収納するハウジングと、前記電動機によって駆動される先端工具と、該先端工具の一部を覆うカバーを備え、該カバーに形成された粉塵排出口に集塵ケースを着脱可能に装着して成る電動工具において、前記集塵ケースの本体にハンドルを取り付け、該ハンドルの近傍に、集塵ケース本体の粉塵取出口の開閉機構を設けたことを特徴とする。
【００２２】
請求項１２記載の発明は、請求項１１記載の発明において、前記集塵ケース本体の全部又は一部を透明又は半透明の部材で構成したことを特徴とする。
【００２３】
請求項１３記載の発明は、請求項１１記載の発明において、前記開閉機構を、前記集塵ケース本体の粉塵取出口を開閉する開閉蓋と、該開閉蓋の固定をＯＮ／ＯＦＦするスイッチ機構とで構成したことを特徴とする。
【００２４】
請求項１４記載の発明は、請求項１１記載の発明において、前記開閉蓋に、前記カバーに形成された粉塵排出口に結合される結合口を形成したことを特徴とする。
【００２５】
請求項１５記載の発明は、請求項１３又は１４記載の発明において、前記開閉蓋を前記集塵ケースに一端を中心として回動可能に取り付けるとともに、該開閉蓋を開き方向に付勢する付勢手段を設けたことを特徴とする。
【００２６】
請求項１６記載の発明は、請求項１３記載の発明において、前記スイッチ機構を、開閉蓋に係脱する係止部材と、該係止部材を係止方向に付勢する付勢手段を含んで構成したことを特徴とする。
【００２７】
請求項１７記載の発明は、請求項１１〜１６の記載の発明において、前記集塵ケース本体を、略筒状のベース部と、該ベース部に取り付けられた柔軟な袋状のフィルタ部とで構成したことを特徴とする。
【００２８】
請求項１８記載の発明は、請求項１７記載の発明において、前記集塵ケースのフィルタ部内に、該フィルタ部を所定の形状に保持するための形状保持部材を設けたことを特徴とする。
【００２９】
請求項１９記載の発明は、請求項１８記載の発明において、前記形状保持部材を前記集塵ケースのベース部に取り付けたことを特徴とする。
【００３０】
請求項２０記載の発明は、請求項１８又は１９記載の発明において、前記形状保持部材を針金で構成するとともに、この針金を前記ベース部の開口部周縁に取り付けるとともに、その一部を前記ハンドルで固定したことを特徴とする。
【発明の効果】
【００３１】
請求項１及び１１記載の発明によれば、集塵ケース内が粉塵で満杯となった場合には、ハンドルを片手で持って集塵ケースを電動工具から取り外し、ハンドルの近傍に設けられた開閉機構を同じ手で操作して集塵ケース本体の粉塵取出口を開けることができるため、集塵ケースからの粉塵の廃棄を片手で容易に作業性良く且つ効率的に行うことができる。
【００３２】
請求項２及び１２記載の発明によれば、集塵ケース本体の全部又は一部を透明又は半透明の部材で構成したため、集塵ケース本体内の粉塵の蓄積状態を外部から容易に視認することができ、粉塵の廃棄時期を的確に把握することができる。
【００３３】
請求項３及び１３記載の発明によれば、開閉機構を、集塵ケース本体の粉塵取出口を開閉する開閉蓋と、該開閉蓋の固定をＯＮ／ＯＦＦするスイッチ機構とで構成したため、集塵ケースに蓄積された粉塵を廃棄する際には片手によるスイッチ機構の操作によって開閉蓋の固定を解除すれば、集塵ケース本体の粉塵取出口が開くため、粉塵取出口から粉塵を作業性良く廃棄することができる。
【００３４】
請求項４及び１４記載の発明によれば、開閉蓋に、ソーカバーに形成された粉塵排出口に結合される結合口を形成したため、粉塵と空気の混合物が流入する結合口と、粉塵と空気を分離するフィルタ部とが対向する位置関係にあり、粉塵と空気を効率良く分離することができる。
【００３５】
請求項５及び１５記載の発明によれば、片手によるスイッチ機構の操作によって開閉蓋の固定を解除すれば、開閉蓋は付勢手段の付勢力によって自動的に回動して粉塵取出口を開くため、粉塵の廃棄作業が容易化する。
【００３６】
請求項６及び１６記載の発明によれば、ハンドル部の近傍に設置されたスイッチ機構の係止部材を付勢力に抗して操作すれば、該係止部材による開閉蓋の係止が解除されて粉塵取出口が開口するため、集塵ケース内に回収された粉塵を片手で作業性良く廃棄することができる。
【００３７】
請求項７及び１７記載の発明によれば、集塵ケース本体を、略筒状のベース部と、該ベース部に取り付けられた柔軟な袋状のフィルタ部とで構成したため、電動工具に集塵ケースを取り付けた状態で該電動工具を運搬する際に集塵ケースが壁等に衝突しても、柔軟なフィルタ部の変形によって集塵ケース及び電動工具の破損が防がれる。
【００３８】
請求項８及び１８記載の発明によれば、集塵ケースのフィルタ部内に、該フィルタ部を所定の形状に保持するための形状保持部材を設けたため、粉塵の回収時及び廃棄時においてフィルタ部は袋形状を保持し、粉塵の回収及び廃棄が安定的になされる。
【００３９】
請求項９及び１９記載の発明によれば、形状保持部材を集塵ケースのベース部に取り付けたため、形状保持部材の保持が確実になされ、集塵ケースの使用時に該形状保持部材が外れることがない。
【００４０】
請求項１０及び２０記載の発明によれば、形状保持部材を針金で構成するとともに、この針金をベース部の開口部周縁に取り付けるとともに、その一部をハンドルで固定したため、形状保持部材である針金をより確実にベース部に固定することができる。
【発明を実施するための最良の形態】
【００４１】
以下に本発明の実施の形態を添付図面に基づいて説明する。
【００４２】
図１は本発明に係る電動工具の一形態としての卓上丸鋸の側面図であり、図示の卓上丸鋸１０は、不図示の電動機を内蔵したハウジング１３と、電動機によって回転駆動される円板状の鋸刃１４と、ハウジング１３に連結されて前記鋸刃１４の略上半部を覆うソーカバー２１と、ハウジング１３及びソーカバー２１を鋸刃１４と共に回動軸１７を中心として上下に回動可能に支持するテーブル１５を含んで構成されており、テーブル１５上には被切断材としての木材１６が図示のように載置されてセットされる。
【００４３】
而して、上記構成を有する卓上丸鋸１０による木材１６の切断作業に際しては、不図示の電動機によって鋸刃１４を図示矢印方向（図１の反時計方向）に回転駆動しながら、ハウジング１３とソーカバー２１を鋸刃１４と共に回動軸１７を中心として下方へと押し下げれば、木材１６が鋸刃１４によって切断される。そして、このとき発生する切粉は、鋸刃１４の回転による慣性力と空気流によってソーカバー２１内を図示矢印方向に飛ばされるが、その方向に開口する円筒状の粉塵排出口１２がソーカバー２１に形成されている。そして、ソーカバー２１の粉塵排出口１２には本発明に係る集塵ケース１が着脱可能に装着されており、この集塵ケース１に切粉が導入されて回収され、切粉の周囲への飛散が防がれる。
【００４４】
ここで、本発明に係る上記集塵ケース１の構成と作用を図２〜図６に基づいて説明する。尚、図２は本発明に係る集塵ケースの側面図、図３は同集塵ケースの針金のベース部への取付構造を示す部分斜視図、図４は同部分平面図、図５は切粉を廃棄するために開閉蓋を開けて粉塵取出口を開口させた状態を示す集塵ケースの斜視図、図６は切粉をゴミ袋に廃棄する様子を示す斜視図である。
【００４５】
本発明に係る集塵ケース１は、図２に示すように、ケース本体１Ａと、該ケース本体１Ａの一端に開口する粉塵取出口２０（図５参照）を開閉する開閉蓋６を備えている。
【００４６】
上記ケース本体１Ａは、上下方向に長い略矩形断面を有する筒状のベース部２と、該ベース部２の前記粉塵取出口２０とは反対側の斜めにカットされた開口部の周縁に取り付けられた柔軟な袋状のフィルタ部５とで構成されている。ここで、ベース部２は、アクリル等の透明又は半透明の樹脂にて筒状に一体成形されており、その上面にはハンドル７が取り付けられている。又、フィルタ部５は、空気のみが通過できる程度の目粗さを有する布や和紙、合成繊維製フィルタ等で構成されている。
【００４７】
そして、ケース本体１Ａのフィルタ部５内には、該フィルタ部５を所定の袋状に保持するための形状保持部材としての針金９が収納されている。この針金９は、図３に示すように、ベース部２の開口部周縁に嵌め込まれて固定されており、Ｌ字状に折曲された一端９ａは、図４に示すように、ベース部２の上部に形成された溝２ａに嵌め込まれ、他端は略直角に折り曲げられて図２に示すように袋状のフィルタ部５内の上部を後方（図２の右方）に向かって略水平に延び、その端部は円形に丸められてフィルタ部５を傷付けないよう配慮されている。そして、この針金９の略直角に折り曲げられた基端部９ｂは、図４に示すように、ベース部２の上部に形成された溝２ｂに嵌め込まれており、この基端部９ｂとベース部２の溝２ａに嵌め込まれたＬ字状の一端９ａには、図３に示すように、前記ハンドル７が上方から被せられ、該ハンドル７がベース部２の上部に固定されることによって針金９がベース部２の開口部周縁に固定される。
【００４８】
他方、前記開閉蓋６は、ケース本体１Ａのベース部２の断面形状に沿った形状に樹脂にて一体成形されており、これには図１に示す卓上丸鋸１０のソーカバー２１に形成された前記粉塵排出口１２に着脱可能に嵌め込まれて結合される円筒状の結合口３が一体に形成されている。尚、結合口３は、ソーカバー２１の粉塵排出口１２の外周に嵌合するため、その内径は粉塵排出口１２の外径よりも若干大きく設定されている。
【００４９】
而して、開閉蓋６は、その下端部がヒンジ８によってケース本体１Ａのベース部２の下部に上下に回動可能に枢着されており、これが上下に回動することによって、ケース本体１Ａ（ベース部２）に開口する粉塵取出口２０が開閉される。尚、この開閉蓋６は、ヒンジ８に巻装された不図示の捩りコイルバネによって開き方向（ケース本体１Ａの粉塵取出口２０を開く方向）に付勢されている。
【００５０】
又、図２に示すように、ケース本体１Ａのベース部２の上部であって、前記ハンドル７の近傍（ハンドル７の前方）には、開閉蓋６の固定をＯＮ／ＯＦＦするためのスイッチ機構を構成する開閉スイッチ４が軸２２を中心に回動可能に枢着されて設けられている。この開閉スイッチ４は、図２に示すように閉じ状態にある開閉蓋６の上端縁に鍵状の先端フック部１８が係合することによって開閉蓋６を閉じ状態に維持し、或は閉じ状態にある開閉蓋６との係合を解除して該開閉蓋６を開き状態にするためのものであって、これはリターンスプリング１９によって一方向（開閉蓋６を係止してこれを閉じ状態に維持する方向）に付勢されている。
【００５１】
而して、以上の開閉蓋６と、該開閉蓋６の固定をＯＮ／ＯＦＦする開閉スイッチ４とでケース本体１Ａの粉塵取出口２０の開閉機構が構成されており、この開閉機構は、前記ハンドル７の近傍（つまり、作業者が片手で操作し得る位置）に設けられている。
【００５２】
以上のように構成された集塵ケース１は、図１に示すように、開閉蓋６に形成された結合口３を卓上丸鋸１０のソーカバー２１に形成された粉塵排出口１２に嵌め込んで結合することによって卓上丸鋸１０に装着され、前述のように、木材１６の切断によって発生した切粉の回収に供される。
【００５３】
即ち、卓上丸鋸１０による木材１６の切断作業に際して不図示の電動機によって鋸刃１４を図１の矢印方向に回転駆動しながら、ハウジング１３とソーカバー２１を鋸刃１４と共に回動軸１７を中心として下方へと押し下げれば、木材１６が鋸刃１４によって切断され、このとき発生する切粉は、鋸刃１４の回転による慣性力と空気流によってソーカバー２１内を図１の矢印方向に飛ばされる。そして、この吹き飛ばされた切粉は、ソーカバー２１の粉塵排出口１２から集塵ケース１内へと導入される。
【００５４】
集塵ケース１においては、開閉蓋６の結合口３からケース本体１Ａ内へと切粉が導入されて回収されるが、切粉と共にケース本体１Ａ内へと導入された空気は、フィルタ部５を通過して大気中に排出されるため、ケース本体１Ａ内には切粉だけが蓄積される。尚、本実施の形態では、開閉蓋６に、ソーカバー２１に形成された粉塵排出口１２に結合される結合口３を形成したため、粉塵と空気の混合物が流入する結合口３と、粉塵と空気を分離するフィルタ部５とが対向する位置関係にあり、粉塵と空気を効率良く分離することができる。
【００５５】
そして、切断作業が進んで集塵ケース１のケース本体１Ａ内が切粉で満杯状態になると、作業者は片手でハンドル７を持って集塵ケース１を卓上丸鋸１０から取り外す。即ち、集塵ケース１全体を引いて結合口３の卓上丸鋸１０の粉塵排出口１２との嵌合を解除すれば、集塵ケース１を卓上丸鋸１０から取り外すことができ、取り外した集塵ケース１を片手で持ってこれを廃棄場所まで運ぶ。尚、本実施の形態では、ケース本体１Ａのベース部２をアクリル等の透明又は半透明の樹脂で構成したため、ケース本体１Ａ内の切粉の蓄積状態を外部から容易に視認することができ、切粉の廃棄時期を的確に把握することができる。
【００５６】
廃棄場所では、作業者は、ハンドル７を片手で把持したまま開閉スイッチ４をリタンースプリング１９の付勢力に抗して押し下げれば、該開閉スイッチ４のフック部１８の開閉蓋６との係合が解除されるため、図５に示すように、開閉蓋６は不図示の捩りコイルバネによる付勢力によってヒンジ８を中心として回動し、これによってケース本体１Ａの粉塵取出口２０が開く。従って、図６に示すように、作業者は、一方の手で集塵ケース１を持ち、他方の手でゴミ袋１１を保持しながら、粉塵取出口２０が下になるように集塵ケース１をゴミ袋１１の上方で斜めに傾ければ、ケース本体１Ａ内に蓄積された切粉が粉塵取出口２０からゴミ袋１１内へと落下して廃棄される。このように、集塵ケース１からの切粉の廃棄は、片手で容易に行うことができるため、他方の手をゴミ袋１１を保持するために使用することができ、切粉の廃棄作業を作業性良く効率的に行うことができる。
【００５７】
上述のようにして、集塵ケース１内の切粉がゴミ袋１１へと廃棄されると、集塵ケース１の開閉蓋６をヒンジ８を中心として回動させて粉塵取出口２０を開閉蓋６で閉じ、開閉スイッチ４のフック部１８で開閉蓋６を図２に示すように固定した状態で集塵ケース１を図１に示すように卓上丸鋸１０に装着すれば、卓上丸鋸１０による切断作業を継続することができる。
【００５８】
ところで、本実施の形態においては、ケース本体１Ａを、樹脂製のベース部２と、該ベース部２に取り付けられた柔軟な袋状のフィルタ部５とで構成したため、卓上丸鋸１０に集塵ケース１を取り付けた状態で該卓上丸鋸１０を運搬する際に集塵ケース１が壁等に衝突しても、柔軟なフィルタ部５の変形によって集塵ケース１及び卓上丸鋸１０の破損が防がれる。
【００５９】
又、集塵ケース１のフィルタ部５内に、該フィルタ部５を所定の形状に保持するための形状保持部材としての針金９を設けたため、粉塵の回収時及び廃棄時においてフィルタ部５は袋形状を保持し、粉塵の回収及び廃棄が安定的になされる。
【００６０】
更に、形状保持部材である針金９を集塵ケース１のベース部２に取り付け、その一部をハンドル７で固定したため、形状保持部材である針金９を確実にベース部２に固定することができ、集塵ケース１の使用時に針金９が外れることがなく、フィルタ部５は常に所期の袋形状を保持することができる。
【００６１】
ところで、以上の実施の形態では、集塵ケース１のフィルタ部５を所定の形状に保持するための形状保持部材として針金９を使用したが、図７に示すように、ケース本体１Ａの樹脂製のベース部２の上下から水平に一体に延びるガイドバー２Ａ，２Ｂで形状保持部材を構成しても良い。
【産業上の利用可能性】
【００６２】
本発明は、卓上丸鋸の以外の任意の電動工具とこれに装着される集塵ケースに対して適用可能である。
【図面の簡単な説明】
【００６３】
【図１】本発明に係る電動工具の一形態としての卓上丸鋸の側面図である。
【図２】本発明に係る集塵ケースの側面図である。
【図３】本発明に係る集塵ケースの針金のベース部への取付構造を示す部分斜視図である。
【図４】本発明に係る集塵ケースの針金のベース部への取付構造を示す部分平面図である。
【図５】切粉を廃棄するために開閉蓋を開けて粉塵取出口を開口させた状態を示す本発明に係る集塵ケースの斜視図である。
【図６】切粉をゴミ袋に廃棄する様子を示す斜視図である。
【図７】形状保持部材の他の形態を示す集塵ケース本体の分解斜視図である。
【図８】従来の集塵ケースを備えた電動丸鋸の側面図である。
【符号の説明】
【００６４】
１          集塵ケース
１Ａ        ケース本体
２          ベース部
２Ａ，２Ｂ  ガイドバー（形状保持部材）
３          結合口
４          開閉スイッチ
５          フィルタ部
６          開閉蓋
７          ハンドル
８          ヒンジ
９          針金（形状保持部材）
１０        卓上丸鋸（電動工具）
１１        ゴミ袋
１２        粉塵排出口
１３        ハウジング
１４        鋸刃（先端工具）
１５        テーブル
１６        木材（被切断材）
１７        回動軸
１８        開閉スイッチのフック部
１９        リターンスプリング
２０        粉塵取出口
２１        ソーカバー（カバー）
２２        軸
【図１】
2007044854.tif 000003
【図２】
2007044854.tif 000004
【図３】
2007044854.tif 000005
【図４】
2007044854.tif 000006
【図５】
2007044854.tif 000007
【図６】
2007044854.tif 000008
【図７】
2007044854.tif 000009
【図８】
2007044854.tif 000010